(57)【要約】【課題】  放電ランプをランプハウスの反射鏡内部に取り付けた場合、ランプ保護カバーの着脱部材が反射鏡の内部空間に位置するので、容易にランプ保護カバーを放電ランプから取り外すことができ、ランプ保護カバーが、ポリウレタン系樹脂よりなるものであり、使用後は、サーマルリサイクル、マテリアルリサイクル、ケミカルリサイクルと多様な方法で再利用することができ、環境に与える影響が少ないランプ保護カバーを提供することにある。【解決手段】  本発明のランプ保護カバーは、発光管１１の両端に形成された封止部１２の先端に口金１３が設けられた放電ランプ１を保護するためのランプ保護カバーであって、ランプ保護カバー２の表面と裏面にそれぞれ着脱部材２３が設けられており、ランプ保護カバー２は、口金１３以外の放電ランプ１の表面に沿って一周以上巻きつけられ、それぞれの着脱部材２３が重なり合って固着し、放電ランプ１を覆うことを特徴とする。【選択図】    図１
2006264720.tif 000002
【特許請求の範囲】
【請求項１】
発光管の両端に形成された封止部の先端に口金が設けられた放電ランプを保護するためのランプ保護カバーであって、
前記ランプ保護カバーの表面と裏面にそれぞれ着脱部材が設けられており、
前記ランプ保護カバーは、口金以外の放電ランプの表面に沿って一周以上巻きつけられ、それぞれの着脱部材が重なり合って固着し、放電ランプを覆うことを特徴とするランプ保護カバー。
【請求項２】
前記ランプ保護カバーは、ポリウレタン系樹脂からなることを特徴とする請求項１に記載のランプ保護カバー。
【発明の詳細な説明】
【技術分野】
【０００１】
本発明は、高圧ガスが封入された放電ランプのランプ保護カバーに関するものである。
【０００２】
図４に示すように、放電ランプの一種であるショートアーク放電ランプ１は、中央の略球状の発光部１１と、この発光部１１の両端に形成された封止部１２からなり、封止部１２の先端に、この放電ランプ１をランプハウスに取り付け給電するための金属製の口金１３が設けられている。
【０００３】
この放電ランプ１の発光管１１内には、水銀と希ガスが封入されており、半導体、液晶パネル、プリント配線板などのパターン形成を行う露光装置の光源として利用されている。
また、発光管１１内に、水銀に替えてキセノンのみを封入し、映写機やプロジェクターの光源として利用されている。
【０００４】
このような放電ランプ１は、発光管１１内の封入ガスが１気圧以上となっており、放電ランプ１を運搬したり、ランプハウスに取付ける際に、放電ランプ１に誤って衝撃を加えると放電ランプ１が破損することがあった。
【０００５】
放電ランプ１の破損を防止するために、放電ランプにランプ保護カバーを取り付けることが知られており、図５を用いて従来のランプ保護カバーを説明する。
ランプ保護カバー３は、放電ランプ１の発光部１１と封止部１２の長さに対応する幅の綿布やポリエステル樹脂からなるシート体３１を有し、このシート体３１を発光部１１に１回以上巻きつけ、シート体３１の両端を封止部１２に紐３２で縛り、口金１３を露出させる構造である。
【０００６】
【特許文献１】特開２００２−３０２１８０号
【発明の開示】
【発明が解決しようとする課題】
【０００７】
放電ランプ１をランプハウスに取り付ける際には、反射鏡に放電ランプ１が接触して放電ランプ１が破損する恐れがあるため、ランプ保護カバー３を付けたまま放電ランプ１をランプハウスに取り付けるものである。
【０００８】
図６は、ランプハウスの反射鏡４内に放電ランプ１を取り付ける説明図であり、反射鏡４の頂部開口４１に放電ランプ１の一方の封止部１２を挿入し、その封止部１２の先端に設けられた口金１３をランプハウスの給電部材５に取り付ける。
その後、ランプ保護カバー３の紐３２を緩めることにより、ランプ保護カバー３を放電ランプ１から取り除くものである。
【０００９】
しかしながら、反射鏡４の裏面側にランプ保護カバー３の紐３２が位置することになり、反射鏡４の裏面側に作業者の手が届き難く、紐３２を解くことが困難な場合があった。
【００１０】
本発明は、このような問題を解決するためになされたものであって、放電ランプを確実に保護することができると共に、放電ランプをランプハウスに組み込んでから容易にランプ保護カバーを放電ランプから取り外すことができるランプ保護カバーを提供することにある。
さらに、ランプ保護カバーは環境の観点からリサイクル可能なポリウレタン系樹脂からなるものである。
【課題を解決するための手段】
【００１１】
請求項１に記載のランプ保護カバーは、発光管の両端に形成された封止部の先端に口金が設けられた放電ランプを保護するためのランプ保護カバーであって、前記ランプ保護カバーの表面と裏面にそれぞれ着脱部材が設けられており、前記ランプ保護カバーは、口金以外の放電ランプの表面に沿って一周以上巻きつけられ、それぞれの着脱部材が重なり合って固着し、放電ランプを覆うことを特徴とする。
【００１２】
請求項２に記載のランプ保護カバーは、請求項１に記載のランプ保護カバーであって、特に、前記ランプ保護カバーは、ポリウレタン系樹脂からなることを特徴とする。
【発明の効果】
【００１３】
本発明のランプ保護カバーによれば、ランプ保護カバーの表面と裏面にそれぞれ着脱部材が設けられており、口金以外の放電ランプの表面に沿って一周以上巻きつけられ、それぞれの着脱部材が重なり合って固着し、放電ランプを覆う構造であるので、放電ランプの発光部とランプ用保護カバーとの間に空間が形成され、放電ランプに衝撃が加わっても、この空間で衝撃を吸収することができ、放電ランプの破損を確実に防止することができる。
【００１４】
さらには、放電ランプにランプ保護カバーを取り付けた状態で、放電ランプをランプハウスの反射鏡内部に取り付けた場合、ランプ保護カバーの着脱部材が反射鏡の内部空間に位置するので、容易にランプ保護カバーを放電ランプから取り外すことができるものである。
【００１５】
また、ランプ保護カバーが、ポリウレタン系樹脂よりなるものであり、使用後は、サーマルリサイクル、マテリアルリサイクル、ケミカルリサイクルと多様な方法で再利用することができ、環境に与える影響が少ないものである。
【発明を実施するための最良の形態】
【００１６】
本発明の一実施形態を図１および図２を用いて説明する。
図１は、本発明のランプ保護カバーを取り付けた放電ランプの斜視図を示し、図２は図１中のＡ−Ａ断面図を示す。
【００１７】
ショートアーク型の放電ランプ１は、中央の略球状の発光部１１と、この発光部１１の両端に形成された封止部１２からなり、封止部１２の先端に、この放電ランプ１をランプハウスに取り付け給電するための金属製の口金１３が設けられている。
【００１８】
ランプ保護カバー２は、封止部１２を覆うテーパー状の第１面２１と、発光部１１を覆う平面状の第２面２２が連続して形成されたものであり、ランプ保護カバー２の端編２ａがランプ保護カバー２の表面に重なり合った状態になっており、放電ランプ１の表面に沿って一周以上巻きつけられている。
そして、放電ランプ１の口金１３寄りの封止部１２の一部がランプ保護カバー２から外部に伸び出し、口金１３がランプ保護カバー２から露出した状態になっている。
【００１９】
図２に示すように、ランプ保護カバー２の表面と裏面に着脱部材２３が形成されている。この着脱部材２３は、一方がループ状のマジックテープ２３ａ、他方がフック状のマジックテープ２３ｂである。
そして、この着脱部材２３は発光管１１を覆う第２面２２に形成されている。
【００２０】
図２に示すように、ランプ保護カバー２の表面に形成された他方のマジックテープ２３ｂは、ランプ保護カバー２の巻きつけ方向に沿って間隔を空けて複数個設けられている。
図２では、他方のマジックテープ２３ｂが２つ形成されている。これは、発光部１１の外径が小さい場合、ランプ保護カバー２の重なり量を多くして、図２中一方のマジックテープ２３ａに接触してない方のマジックテープ２３ｂを利用して、放電ランプ１にランプ保護カバー２を巻く付けることができるものである。
つまり、１つのランプ保護カバー２で形状の異なる放電ランプのランプ保護カバーと成り得るものである。
【００２１】
そして、図２に示すように、発光部１１とランプ用保護カバー２との間に空間Ｓが形成されているので、放電ランプ１に衝撃が加わっても、この空間Ｓで衝撃を吸収することができ、放電ランプ１の破損を防止することができる。
【００２２】
なお、図１では、封止部１２を覆うテーパー状の第１面２１と、発光部１１を覆う平面状の第２面２２を有するものあるが、第２面２２がなく、両方の封止部１２から発光部１１に向けてテーパー状に開いた第１面２１が向き合うように形成されたランプ保護カバーであってもよい。
【００２３】
このランプ保護カバー２は、ポリウレタン系樹脂よりなり、その厚みが０．２ｍｍ〜３ｍｍ程度のものが用いられ、厚みが０．２ｍｍ以下では強度的に弱く、取り扱い時に破損する可能性があり、また、３ｍｍ以上では、放電ランプを覆うには柔軟性を欠き、巻き付けることが困難となるものである。
実施例のランプ保護カバー２の厚みは０．３ｍｍである。
【００２４】
ランプ保護カバー２は、ポリウレタン系樹脂よりなるものであり、使用後は、サーマルリサイクルにより燃やして熱エネルギーとして再利用することができ、あるいは、マテリアルリサイクルにより他の製品の原材料として再利用することができ、更には、ケミカルリサイクルにより化学的に処理して他の製品の化学原料として再利用することができるものである。
つまり、本発明のランプ保護カバー２は、近年、重要視されている環境に与える影響が少なく、環境に配慮したものである。
【００２５】
図３は、ランプハウスの反射鏡４内に放電ランプ１を取り付ける説明図であり、反射鏡４の頂部開口４１に放電ランプ１の一方の封止部１２を挿入し、その封止部１２の先端に設けられた口金１３をランプハウスの給電部材５に取り付ける。
この時、必ず、放電ランプ１の発光部１１は反射鏡４の内部空間Ｓ１に位置し、ランプ保護カバー２の着脱部材２３が反射鏡４の内部空間Ｓ１に位置するものである。
【００２６】
この結果、放電ランプ１にランプ保護カバー２を取り付けた状態で、放電ランプ１をランプハウスに取り付けた後に、反射鏡４の内部空間Ｓ１に作業者の手が無理なく入り、着脱部材２３を外すことができ、ランプ保護カバー２を放電ランプ１から容易に取り外すことができる。
【図面の簡単な説明】
【００２７】
【図１】本発明のランプ保護カバーを取り付けた放電ランプの斜視図である。
【図２】図１中のＡ−Ａ断面図である。
【図３】ランプハウスの反射鏡内に本発明のランプ保護カバーで保護された放電ランプを取り付ける説明図である。
【図４】放電ランプの説明図である。
【図５】従来のランプ保護カバーの説明図である。
【図６】ランプハウスの反射鏡内に従来のランプ保護カバーで保護された放電ランプを取り付ける説明図である。
【符号の説明】
【００２８】
１      放電ランプ
１１    発光部
１２    封止部
１３    口金
２      ランプ保護カバー
２１    テーパー状の第１面
２２    平面状の第２面
２３    着脱部材
４      反射鏡
５      給電部材
【図１】
2006264720.tif 000003
【図２】
2006264720.tif 000004
【図３】
2006264720.tif 000005
【図４】
2006264720.tif 000006
【図５】
2006264720.tif 000007
【図６】
2006264720.tif 000008